(57)【特許請求の範囲】
【請求項１】
巻軸上に形成される複数の分割シートの巻取ロールに接触することができる、一対の支持腕により両端支持した共通タッチローラと、前記巻取ロールに個別に接触することができる、前記共通タッチローラの下流側に配置した複数の個別タッチローラとを備えるシート分割巻取装置において、前記共通タッチローラの近くに前記一対の支持腕により両端支持した支持軸と、一端が前記個別タッチローラの端部に装着してあり他の一端に鉤状に形成した掛着部を有する、前記個別タッチローラ毎に設けた揺動腕と、前記揺動腕の掛着部に対応する被掛着部を有すると共に前記支持軸の外周面に該支持軸長手方向に位置決め可能に装着してある、前記揺動腕毎に設けた筒体とからなる個別タッチローラ支持装置であって、前記筒体の、前記被掛着部の隣の部分の外周面に回動可能に回動輪を装着し、前記筒体の、前記回動輪を装着した部分の隣の部分であって前記被掛着部と反対側の部分の外周面に回動可能に回転力設定輪を装着し、一端を前記回動輪に連結し他の一端を前記回転力設定輪に連結したコイルバネを前記回動輪と前記回転力設定輪との間に前記筒体の外周に沿って配置し、前記回動輪の外周面に突起を固設し、前記回転力設定輪に該回転力設定輪を前記筒体に固定する固定手段を設け、前記揺動腕の側面に前記突起に係合可能な係合体を固設したことを特徴とする個別タッチローラ支持装置。
【請求項２】
前記被掛着部は、前記筒体の円周方向に所定の回転角度にわたり前記筒体の外周から内周に達するように切り取って形成した、前記掛着部に適合する幅の切欠きからなり、前記掛着部は、前記支持軸の外周面に適合する内周面を有する請求項１に記載の個別タッチローラ支持装置。
【請求項３】
前記被掛着部は、前記筒体の外周面に円周方向に形成した溝からなり、該溝の幅は前記掛着部の幅に適合し、該溝の底面は、前記揺動腕の掛着部の内周面に適合する請求項１に記載の、個別タッチローラ支持装置。
【請求項４】
前記回動輪と前記回転力設定輪のいずれか一方の外周面に、前記揺動腕の回転力に応じた目盛りを設け、もう一方の外周面に前記目盛りに対する指針を設けた請求項１に記載の、個別タッチローラ支持装置。
【発明の詳細な説明】
【技術分野】
【０００１】
本発明は、巻軸上に形成される複数の分割シートの巻取ロールに接触することができる共通タッチローラと、前記巻取ロールに個別に接触することができる、複数の個別タッチローラとを備えるシート分割巻取装置において、個別タッチローラを共通タッチローラ沿いに着脱可能に支持する個別タッチローラ支持装置に関する。
【背景技術】
【０００２】
従来、上述のような個別タッチローラ支持装置には、共通タッチローラを支持する支持腕で共通タッチローラの近くに支持した支持軸と、一端を個別タッチローラの端部に装着し、かつ他の一端に鉤状に形成した掛着部を有する揺動腕と、支持軸の外周面に該支持軸長手方向に位置決め可能に装着した、揺動腕毎の円筒状のスライド体とからなるものがある。スライド体の外周面には環状の溝が形成してあり、その溝に揺動腕の鉤状の掛着部を掛着することによって、個別タッチローラが支持軸を中心に揺動可能に支持される。そして支持軸により支持された個別タッチローラには、それ自体と揺動腕等に作用する重力により分割シート巻取ロールへの押付力が生ずる（下記特許文献１参照）。
【０００３】
ところが、上述のようなシート分割巻取装置において巻取る分割シートの材質や厚み、分割シート幅等の巻取条件が多様化し、それらの分割帯状シートを高品質に巻取るには、巻取条件に応じて個別タッチローラによる巻取ロールの押付力を最適な大きさにすることによって、個別タッチローラと巻取ロールとの接触圧を適正な大きさ調節することが要求されるようになっている。
【０００４】
しかし、上述のタッチローラ支持装置では、重力に基づく回転力以外の回転力を個別タッチローラの揺動腕に付与することができないから、個別タッチローラの巻取ロールへの押付力の大きさの調節は重力のみに依存している。そのため上述のようなシート分割巻取装置においては、巻取条件が多様に変わると、個別タッチローラから巻取ロールに最適な接触圧を付与することができなくなる。したがって、多様な巻取条件に対応して巻取ロールの高品質化を図ることができないという問題を有している。
【０００５】
また、従来のシート分割巻取装置には、個別タッチローラによる巻取ロールの押付力を変更可能にするために、個別タッチローラに平行に、かつ回転可能に設けた支持軸と、支持軸に所要の回転力を加える流体圧シリンダ装置と、支持軸に揺動可能に装着した、個別タッチローラを支持する支持腕と、支持軸と支持腕の間に設けた、支持腕に対する支持軸の回転力に弾力的に抗するバネ装置とを備えるものがある（下記特許文献２参照）。
【０００６】
しかし、このシート分割巻取装置では、個別タッチローラの支持腕は、両側の機枠によって両端支持した支持軸が貫通している可動部材の両端部の外周面に貫通した状態で装着してあるため、支持軸を機枠から取外さなければ、個別タッチローラを長さの異なるものに交換することができない。それゆえ、分割シート幅が変更されたとき、分割シートの幅に応じて適正な長さの個別タッチローラを使用するには、面倒で長時間を要する個別タッチローラの交換作業が必要になる。また上述のバネ装置は、一対の腕部材に固着した横部材と、前記可動部材に固設した腕部材との間に設けた圧縮コイルバネからなり、この圧縮コイルバネは、一対の腕部材に固着した横部材と前記可動部材に固設した腕部材とに取付けたボルトによって貫通保持されたるため、支持軸とタッチローラとの間隔を大きくする必要があり、大きい占有空間が必要になる。したがって、上述のバネ装置は、個別タッチローラと共通タッチローラとが接近し、かつ支持軸と共通タッチローラとが接近している場合のように設置空間が小さく限定されている場合には採用することができず、採用できたとしても、個別タッチローラの押圧力の大きさを設定するために圧縮コイルバネの変位量を調節する際や圧縮コイルバネを異なるバネ定数のものに交換する際に操作性が悪くなるという問題を生ずる。
【先行技術文献】
【特許文献】
【０００７】
【特許文献１】特開平１０−３３８３９５号公報
【特許文献２】特開平１１−２４６０８９号公報
【発明の概要】
【発明が解決しようとする課題】
【０００８】
本発明は、上述のような問題点に鑑み、共通タッチローラと複数の個別タッチローラとを備えるシート分割巻取装置において、分割シート幅等の巻取条件の変更に応じて、個別タッチローラの巻取ロールへの押付力の大きさを簡単な操作により短時間で変更可能にし、しかも個別タッチローラを所要長さのものに容易に交換可能にすることを目的とする。
【課題を解決するための手段】
【０００９】
そこで、本発明は、巻軸上に形成される複数の分割シートの巻取ロールに接触することができる、一対の支持腕により両端支持した共通タッチローラと、前記巻取ロールに個別に接触することができる、前記共通タッチローラの下流側に配置した複数の個別タッチローラとを備えるシート分割巻取装置において、前記共通タッチローラの近くに前記一対の支持腕により両端支持した支持軸と、一端が前記個別タッチローラの端部に装着してあり他の一端に鉤状に形成した掛着部を有する、前記個別タッチローラ毎に設けた揺動腕と、前記揺動腕の掛着部に対応する被掛着部を有すると共に前記支持軸の外周面に該支持軸長手方向に位置決め可能に装着してある、前記揺動腕毎に設けた筒体とからなる個別タッチローラ支持装置であって、前記筒体の、前記被掛着部の隣の部分の外周面に回動可能に回動輪を装着し、前記筒体の、前記回動輪を装着した部分の隣の部分であって前記被掛着部と反対側の部分の外周面に回動可能に回転力設定輪を装着し、一端を前記回動輪に連結し他の一端を前記回転力設定輪に連結したコイルバネを前記回動輪と前記回転力設定輪との間に前記筒体の外周に沿って配置し、前記回動輪の外周面に突起を固設し、前記回転力設定輪に該回転力設定輪を前記筒体に固定する固定手段を設け、前記揺動腕の側面に前記突起に係合可能な係合体を固設したことを特徴とする。
【発明の効果】
【００１０】
本発明によれば、筒体の、被掛着部の隣の部分の外周面に回動可能に回動輪を装着し、筒体の、回動輪を装着した部分の隣の部分であって被掛着部と反対側の部分の外周面に回動可能に回転力設定輪を装着し、一端を回動輪に連結し他の一端を回転力設定輪に連結したコイルバネを回動輪と回転力設定輪との間に筒体の外周に沿って配置し、回動輪の外周面に突起を固設し、回転力設定輪に該回転力設定輪を筒体に固定する固定手段を設け、揺動腕の側面に突起に係合可能な係合体を固設したことによって、個別タッチローラによる巻取ロールの押付力の大きさを、容易に短時間で変更することができるようになる。また筒体に回動輪や回転力設定輪を装着しても、それらの外径を小さく抑えることができ、回動輪に回転力を付与するためのコイルバネを設けても、そのコイルバネを回動輪と回転力設定輪との間に筒体の外周に沿って配置するので、筒体の外周の占有空間を、個別タッチローラと支持軸との間隔が短くても支障がないよう小さく抑えることができる。また揺動腕の鉤状に形成された掛着部を筒体上の被掛着部に掛けたり外したりすることにより個別タッチローラを支持軸に簡単に短時間で着脱することができる。しかも個別タッチローラを支持軸に装着した後は、回動輪の外周面の突起と揺動腕の側面の係合体とが係合し、その突起と係合体を介して回動輪の回転力が揺動腕に伝達されるので、個別タッチローラを支持軸に着脱するとき、例えばコイルバネと揺動腕との連結解放作業のような面倒な作業は不要である。したがって、個別タッチローラの交換作業が容易になる。そしてシート分割巻取装置において、短いものから長いものまで多様な長さの個別タッチローラを使用することができるようになり、分割シート幅等の巻取条件が変わっても、その巻取条件に応じて、個別タッチローラを適正な長さのものに簡単に短時間で交換することができると共に、分割シート巻取中の個別タッチローラと巻取ロールとの接触圧を適正な大きさに設定することができるようになるので、巻取ロールの高品質化と歩留の向上を図ることができる。
【００１１】
また、回動輪と回転力設定輪の何れか一方の外周面に、揺動腕の回転力に応じた目盛りを設け、もう一方の外周面の外周面に前記目盛りに対する指針を設けることによって、回転力設定輪の筒体に対する回転角度調節が的確に短時間でできるようになる。
【図面の簡単な説明】
【００１２】
【図１】シート分割巻取装置の巻取部の概略側面図である。
【図２】本発明の一実施例に係る個別タッチローラ支持装置の要部を示す正面図である。
【図３】本発明の一実施例に係る個別タッチローラ支持装置の要部を示す側面図である。
【図４】図２に示す筒体の正面図である。
【図５】図２に示す筒体の縦断面図である。
【図６】図４におけるＢ−Ｂ矢視断面図である。
【図７】筒体の別の実施態様を示す縦断面図である。
【発明を実施するための形態】
【００１３】
図１は、シート分割巻取装置の巻取部の側面図である。本発明の個別タッチローラ支持装置を適用するシート分割巻取装置は、通常、図１に示す巻取部１を上下二段に並べて備えており、幅の広い帯状シートを図示しないスリッターにより複数条に分割し、分割直後に幅方向に一列に並んでいる複数の分割シートＳを順次交互に上下の巻取部１へ振分けて供給すると共に、その分割シートＳを上下の巻取部１において同時に巻取る。各巻取部１には、夫々複数の帯状シートＳ毎の巻芯Ｃを保持して回転駆動することができる巻軸２と、分割シートＳの巻取中に巻軸２上に形成される巻取ロールＲに接触することができる共通タッチローラ３と、共通タッチローラ３の下流側に配置した複数の個別タッチローラ５とを備えている。共通タッチローラ３の両端部は一対の支持腕４によって支持し、個別タッチローラ５は、本発明による個別タッチローラ支持装置６によって支持してある。
【００１４】
支持腕４は支点軸７を中心に揺動可能であり、流体圧シリンダ装置８から駆動力を受ける。共通タッチローラ３は選択的にタッチ巻きとクリアランス巻きの２種類の動作をするものでもよいし、或いは、共通タッチローラ３がタッチ巻き又はクリアランス巻きの何れか１種類の動作のみをするものでもよい。タッチ巻きの場合には、共通タッチローラ３が巻取ロールＲを所定の押付力で押付ながら巻取ロールＲの巻太りに応じて巻軸２から離反し、クリアランス巻きの場合には、共通タッチローラ３が、その外周面と巻取ロールＲの外周面との間に所定の隙間を維持した状態で巻軸２から離反する。
【００１５】
図２は本発明の一実施例に係る個別タッチローラ支持装置の正面図、図３は同じく側面図である。個別タッチローラ支持装置６は、共通タッチローラ３の近くに一対の支持腕４により両端支持した支持軸９と、一端を個別タッチローラ５の端部に装着し、かつ他の一端に図３に示すように鉤状に形成した掛着部１０ａを有する、個別タッチローラ５毎に設けた揺動腕１０と、揺動腕の掛着部１０ａに対応する被掛着部１１ａを有し支持軸９の外周面に該支持軸長手方向に位置決め可能に装着した、揺動腕１０毎に設けた筒体１１とからなる。支持軸３は、支持軸９が共通タッチローラ３に平行に設けてあり、個別タッチローラ５を巻軸２上の巻取ロールＲに対応する位置に支持可能にするためのものである。
【００１６】
図２に示すように、個別タッチローラ５は、夫々向かい合わせに配置した一対の揺動腕１０と筒体１１とにより両端支持してある。揺動腕９の一端は、その一端に設けた穴を個別タッチローラ５の中心軸５ａにより貫通し、その貫通した中心軸５ａの先端部に止め輪１２を装着することによって、個別タッチローラ５に装着してある。
【００１７】
図３における支持軸９及び筒体１１は、図２における切断線Ａ−Ａに沿う断面を矢印方向に見たものである。また図３は個別タッチローラ５が巻取開始位置についた状態を示している。図３に示すように、被掛着部１１ａは、筒体１１の円周方向に所定の回転角度にわたり筒体１１の外周から内周に達するように切り取って形成した、掛着部１０ａに適合する幅の切欠きからなり、掛着部１０ａは、支持軸９の外周面９ａに適合する内周面を有する。つまり鉤状の掛着部１０ａの内周側の半径は支持軸９の半径と同じ大きさにしてある。そのため掛着部１０ａの外周側の半径や筒体１１の外径を小さくすることができ、支持軸９と個別タッチローラ５との間隔を極力小さくするのに都合がよい。
【００１８】
揺動腕１０の掛着部１０ａを筒体１１の被掛着部１１ａに装着すると、個別タッチローラ５は、支持軸９にそれを中心に揺動可能に支持され、共通タッチローラ３がタッチ巻きとクリアランス巻きの何れの動作をする場合にも分割シートＳの巻取中に巻取ロールＲに個別に接触することができる。また個別タッチローラ５を支持軸９から取外すことにより、共通タッチローラ３のみによるタッチ巻き又はクリアランス巻きが可能になる。
【００１９】
図４から図６に示すように、本発明の個別タッチローラ支持装置６では、個別タッチローラ５の巻取ロールへの押付力を調節できるようにするために、筒体１１の、被掛着部１１ａの隣の部分の外周面１１ｂに回動可能に回動輪１３を装着し、筒体１１の、回動輪１３の装着した部分の隣の部分であって被掛着部１１ａと反対側の部分の外周面１１ｃに回動可能に回転力設定輪１４を装着し、一端を回動輪１３に連結し他の一端を回転力設定輪１４に連結したコイルバネ１５を回動輪１３と回転力設定輪１４との間に筒体１１の外周に沿って配置し、回動輪１３の外周面に突起１６を固設し、回転力設定輪１４に該回転力設定輪１４を筒体１１に固定する固定手段１７を設け、揺動腕１０の側面に突起１６に係合可能な係合体１８を固設している。
【００２０】
この実施例では、回転力設定輪１４を筒体１１に固定する固定手段１７は、回転力設定輪１４に螺着した止めねじからなる。筒体１１の被掛着部１１ａの両側は外周面１１ｂに対して両側は鍔状になっており、回動輪１３は筒体１１の外周面１１ｂにすきまばめしてあり、回転力設定輪１４は筒体１１の外周面１１ｃに夫々すきまばめしてある。止めねじ１７を緩めたとき回転力設定輪１４が幅方向に移動しないように拘束するために、筒体１１の端部の外周面には固定輪２０をすきまばめし、その固定輪２０を止めねじ２１により筒体１１に固定している。
【００２１】
コイルバネ１５は、引っ張りコイルバネであり、その一端を回動輪１３に、他の一端を回転力設定輪１４に連結するために、回動輪１３に、先端部が回転力設定輪１４に向けて突出するようにピン２２（図５に実線で示す）を固着し、回転力設定輪１４に、先端部が回動輪１３に向けて突出するようにピン２３（図５に二点鎖線で示す）を固着し、図６に示すようにコイルバネ１５の一端をピン２２に、他の一端をピン２３に掛けている。
【００２２】
筒体１１は、支持軸９の外周面にすきまばめしてあり、支持軸上の所要位置で固定するための止めねじ２４有している。また支持軸９の外周面に長手方向に伸びるキー溝２５が形成してある。止めねじ２４は固定輪２０を貫通して筒体１１に螺合しており、筒体１１の内周面から突出している止めねじ２４の先端部はキー溝２５に嵌っている。したがって、筒体１１を支持軸９上の所要位置に移動した後、止めねじ２４を締めて筒体１１を固定することにより、筒体１１を位置決めすることができる。このとき筒体１１は支持軸９に対して回転不能である。
【００２３】
図２に示すように、回動輪１３の外周面には揺動腕１０の回転力に応じた目盛り２６が設けてあり、回転力設定輪１４の外周面には目盛り２６に対する指針２７を設けてある。なお必要に応じて目盛り２６を回転力設定輪１４の外周面に設け、指針２７を回動輪１３の外周面に設けてもよい。
【００２４】
上述のように構成された個別タッチローラ支持装置６において、個別タッチローラ５を支持軸９の所要位置に装着するには、その個別タッチローラ５を所要位置に配置したときの一対の揺動腕１０に対応する位置に一対の筒体１１を位置決めし、その後、個別タッチローラ５の両端部に装着してある揺動腕１０の掛着部１０ａを、筒体１１の被掛着部１１ａに掛着する。このとき、図３に示すように、突起１６の、矢印Ｅが示す方向における前側に、揺動腕１０の係合体１８が配置されるようにする。突起１６と係合体１８の位置関係が逆になる場合は、手で回転輪１３を図３の矢印Ｅが示す方向と反対の方向に回転させて突起１６と係合体１８の位置関係を正常にした後、揺動腕１０を装着する。
【００２５】
個別タッチローラ５の揺動腕１０の掛着部１０ａを筒体１０の被掛着部１１ｂに掛着すると揺動腕１０が支持軸９を中心に揺動可能になり、回動輪１３の回転力が突起１６と係合体１８を介して揺動腕１０に伝達され、個別タッチローラ５に巻取ロールＲへの押付力として加えられる。
【００２６】
コイルバネ１５には、それが伸縮したとき元に戻ろうとする伸縮力が生じ、そのコイルバネ１５の伸縮力により回動輪１３に回転力が生ずる。一方、図１において、支持軸９は分割シートＳの巻取中に巻取ロールＲの巻太りに応じて巻取ロール外周面から共通タッチローラ３と共に離反するので、揺動腕１０の筒体１１に対する回転角度は殆ど変化せず、そのため、回動輪１３の筒体１１に対する回転角度も殆ど変化しない。そこで、回転力設定輪により回動輪１３に付与する回転力を設定する。即ち回動輪１３に必要な回転力が生ずるようにコイルバネ１５を予め伸縮させておくために、回転力設定輪１４を筒体１１に対して所要の回転角度だけ回転させて止めねじ１７により筒体１１に固定する。図６において回転力設定輪１４を筒体１５に対して反時計方向に回転させることにより、コイルバネは伸びて回動輪１３のピン２２に加わる回転力は大きくなる。
【００２７】
個別タッチローラ５の巻取ロールＲへの押付力に過不足がある場合には、止めねじ１７を緩めて、回動輪１３に適正な回転力が付与されるよう回転力設定輪１４の筒体１１に対する回転角度を変える。個別タッチローラ５の巻取ロールへの押付力を大きくする必要がある場合には、回転力設定輪１４を筒体１１に対して、図３の矢印Ｅの方向に回転させ、その位置で止めねじで回転力設定輪１４を筒体１１に固定することにより、コイルバネ１５の伸びを大きくして回動輪１３に大きい回転力を付与することができる。逆に、個別タッチローラ５の巻取ロールへの押付力を小さくする必要がある場合には、回転力設定輪１４を筒体１１に対して、図３矢印Ｅが示す方向と逆の方向に回転させる。
【００２８】
またコイルバネ１５のバネ定数が小さいため回動輪１３に必要な回転力が得られない場合には、コイルバネ１５をバネ定数の大きいものに交換する。コイルバネ１５を交換するには、コイルバネ１５の着脱を可能にするために、止めねじ２４を取外すと共に止めねじ２１を緩めて固定輪２０を筒体１１から図５において左側へ抜き取り、止めねじ１７を緩めて回転力設定輪１４を筒体１１に対し図５において左側へ所定距離移動する。コイルバネ１５の一端と他の一端を夫々ピン２２とピン２３から取外し、代わりに、バネ定数の異なるコイルバネ１５の一端と他の一端を夫々ピン２２とピン２３とに取付ける。その後、回転力設定輪１４及び固定輪２０を図５に示す正規の位置に戻し、止めねじ２４を筒体１１に装着して筒体１１を固定し、回転力設定輪１４を筒体１１に対して所要角度だけ回転させて止めねじ２１により固定する。このコイルバネ１５の交換は、支持軸３から筒体１１を取外すことなくできるので簡単であり、交換時間も短くて済む。 
【００２９】
本発明の実施態様は必要に応じて多様に変化し得る。例えば、図５に示す筒体１１を図８に示すように変更してもよい。図８に示す被掛着部１１ａは、筒体１１の外周面に円周方向に形成した溝からなり、この溝１１ａの幅は、揺動腕１０の掛着部１０ａの幅に適合し、溝１１ａの底面は、揺動腕１０の鉤状の掛着部１０ａの内周面に適合する。また図５に示す固定輪２０の代わりに、筒体１１の他の一端付近の外周面に形成した円周方向の溝に装着した止め輪２０を回転力設定輪１４の拘束手段として設けている。また筒体１１の支持軸９への固定手段（止めねじ）２４を、筒体１１の一端側の鍔部１１ｄに配置してある。
【符号の説明】
【００３０】
Ｃ  巻芯
Ｒ  巻取ロール
１  巻取部
２  巻軸
３  共通タッチローラ
４  支持腕
５  個別タッチローラ
６  個別タッチローラ支持装置
７  支点軸
８  流体圧シリンダ装置
９  支持軸
１０  揺動腕
１０ａ  掛着部
１１  筒体
１１ｂ  被掛着部
１２  止め輪    
１３  回動輪
１４  回転力設定輪
１５  コイルバネ
１６  突起
１７  固定手段（止めねじ）
１８  係合体
２０  固定輪
２１  止めねじ
２２  ピン
２３  ピン
２４  止めねじ
２５  キー溝
２６  目盛り
２７  指針
【図１】
0005488989.tif 000002
【図２】
0005488989.tif 000003
【図３】
0005488989.tif 000004
【図４】
0005488989.tif 000005
【図５】
0005488989.tif 000006
【図６】
0005488989.tif 000007
【図７】
0005488989.tif 000008